(57)【要約】      （修正有）【課題】ＲＦＩＤで使用されるＥＰＣコードの入力技術を提供する。【解決手段】商品の商品情報を入力する入力装置と、ブラウザを表示可能な表示装置の例であるＢＭＬブラウザを備えたテレビジョン受信装置ＴＶとを有している。商品には、ＲＦＩＤが貼付されている。入力装置は、ＲＦＩＤのコードなどを読みとるコード読み取り部と、読みとったコードを記憶するメモリと、ユーザが入力を行うユーザ入力部と、全体を制御する制御部と、表示部と、コード変換部と、変換されたコードをＴＶに送信する送信部とを有している。ＴＶは、チューナと、復調部と、ＴＳデコーダと、復号部と、リモコン受信部と、制御部／リモコン制御部と、ＢＭＬブラウザと、復号部からの信号と、リモコン受信部からの信号とＢＭＬブラウザの信号とを合成する合成部と、合成された信号に基づく表示を行うディスプレイとを有する。【選択図】図１
2008287513.tif 000002
【特許請求の範囲】
【請求項１】
ブラウザ搭載の装置のブラウザに対し、複数の貼付対象にそれぞれ付されたＲＦＩＤに格納されているそれぞれのコードを入力するコード入力装置であって、
前記貼付対象にそれぞれ付されたＲＦＩＤに格納されているコードを取得するコード取得部と、
取得したコードの区切りを付すための入力を行う入力部と、
前記コードと前記区切りとを前記ブラウザで解釈可能な信号に変換するコード変換部と、
変換された信号をブラウザに送信する送信部と
を有することを特徴とするコード入力装置。
【請求項２】
さらに、貼付対象の区切りを示すキーの入力を促す表示と、入力完了を示すキーの入力を促す表示とを行う表示部を有することを特徴とする請求項１に記載のコード入力装置。
【請求項３】
商品区切りの入力が、決定キーの入力により行われることを特徴とする請求項１又は２に記載のコード入力装置。
【請求項４】
商品区切りの入力が、複数のキーで行われることを特徴とする請求項１又は２に記載のコード入力装置。
【請求項５】
前記ブラウザ搭載の装置がテレビジョン受信装置であり、前記入力装置がリモコン装置であることを特徴とする請求項５に記載のコード入力システム。
【請求項６】
ブラウザ搭載の装置のブラウザに対し、複数の貼付対象にそれぞれ付されたＲＦＩＤに格納されているそれぞれのコードを入力するコード入力方法であって、
商品区切りを示す第１のキーの入力を促す表示を行うステップと、
商品区切りを示す第２のキーの入力があると、表示部に入力完了を示すキーの入力を促す表示を行うステップと、
入力コードをブラウザ搭載の装置に送信されるステップと
を有することを特徴とするコード入力方法。
【請求項７】
コードの送信キーの入力を受けると、コード長を解析し、前記第１及び第２のキー入力に基づくコードをブラウザ搭載の装置が認識可能なキーへ変換し、変換されたコードをブラウザ表示装置に送信するステップを有することを特徴とする請求項６に記載のコード入力方法。
【請求項８】
請求項６又は７に記載のステップをコンピュータに実行させるためのプログラム。
【請求項９】
請求項８に記載のプログラムを記憶するコンピュータ読み取り可能な記録媒体。
【請求項１０】
複数の貼付対象にそれぞれ付されたＲＦＩＤに格納されているそれぞれのコード取得するコード取得装置であって、
前記貼付対象にそれぞれ付されたＲＦＩＤに格納されているコードを取得するコード取得部と、
取得したコードの区切りを付すための入力を行う入力部と、
前記コードと前記区切りとを前記ブラウザ搭載の装置が認識可能な信号に変換するコード変換部と
を有することを特徴とするコード入力装置。
【発明の詳細な説明】
【技術分野】
【０００１】
本発明は、ＲＦＩＤで使用されるＥＰＣコードの入力システムに関する。
【背景技術】
【０００２】
ＢＭＬブラウザ等のアプリケーションの一例として、複数の商品情報の入力が必要なものも考えられている(特許文献１参照)。この技術で考えられている入力手段の一つは、バーコードのコードを、リモコンで手動入力している。
【０００３】
一方、最近では、流通の管理手段の一つとして、従来のバーコードに変わり、メモリを埋め込んだＩＣチップとアンテナとを有するＲＦＩＤを用い、これに商品情報を埋め込む技術が注目を集めている。商品情報のコード体系は複数存在するが、一例としてはＥＰＣ（Electronic Product Code）と呼ばれる現在の商品識別用バーコードに代わる次世代商品コードが挙げられる。バーコードでは、１つ１つの商品を、バーコードリーダにより手動で読み込んでいた。これに対して、ＲＦＩＤを使用したＰＯＳシステムでは、例えば、「かごの中に複数の商品を入れてレジの電子タグ用ＰＯＳ台におくだけで、瞬時にかごの中の商品の確認を行うことができ、商品の合計額がレジに表示される」というようなことができる。これにより、１回の操作で複数の商品情報が読み込み可能であるという利点がある。
【０００４】
【特許文献１】特開２００２−０２４５７８号公報
【発明の開示】
【発明が解決しようとする課題】
【０００５】
商品情報は、商品の種類やメーカの違いなどにより桁数が多くなるため、ユーザの操作の簡便化が必要である。そこで、商品情報(従来例ではバーコード)を手動で入力する処理を商品情報(従来例ではバーコード)リーダで読み込み、リモコンコードに変換しテレビジョン受信装置（ＴＶ）に送信し、ブラウザに受け渡すことになる。
【０００６】
しかしながら、複数の商品情報を一度にＴＶに送信し、ブラウザに入力するための手段に関する提案がなかった。
【０００７】
本発明は、ＲＦＩＤで使用されるＥＰＣコードの入力技術を提供することを目的とする。
【課題を解決するための手段】
【０００８】
本発明の一観点によれば、ブラウザ搭載の装置のブラウザに対し、複数の貼付対象にそれぞれ付されたＲＦＩＤに格納されているそれぞれのコードを入力するコード入力装置であって、前記貼付対象にそれぞれ付されたＲＦＩＤに格納されているコードを取得するコード取得部と、取得したコードの区切りを付すための入力を行う入力部と、前記コードと前記区切りとを前記ブラウザで解釈可能な信号に変換するコード変換部と、変換された信号をブラウザに送信する送信部と、を有することを特徴とするコード入力装置が提供される。  
【０００９】
さらに、貼付対象の区切りを示すキーの入力を促す表示と、入力完了を示すキーの入力を促す表示とを行う表示部を有することが好ましい。商品区切りの入力が、決定キーの入力により行われるようにしても良い。商品区切りの入力が、複数のキーで行われるようにしても良い。
【００１０】
上記ブラウザ搭載の装置がテレビジョン受信装置であり、前記入力装置がリモコン装置であることが好ましい。
【００１１】
本発明の他の観点によれば、ブラウザ搭載の装置のブラウザに対し、複数の貼付対象にそれぞれ付されたＲＦＩＤに格納されているそれぞれのコードを入力するコード入力方法であって、商品区切りを示す第１のキーの入力を促す表示を行うステップと、商品区切りを示す第２のキーの入力があると、表示部に入力完了を示すキーの入力を促す表示を行うステップと、入力コードをブラウザ表示装置に送信されるステップと、を有することを特徴とするコード入力方法が提供される。
【００１２】
コードの送信キーの入力を受けると、コード長を解析し、前記第１及び第２のキー入力に基づくコードをブラウザ搭載の装置が認識可能なキーへ変換し、変換されたコードをブラウザ表示装置に送信するステップを有することが好ましい。
【００１３】
本発明は、上記のステップをコンピュータに実行させるためのプログラム又はそのプログラムを記憶するコンピュータが読み取り可能な記録媒体であっても良い。
【発明の効果】
【００１４】
ＲＦＩＤを貼付した商品が手元にあれば、商品名、商品情報に関するコードなどを入力せずに済むという利点がある。ＲＦＩＤの特徴としてリーダは複数個の情報を瞬時に読み込むことができるため、利便性が増しアプリケーションも多様化できるという利点がある。
【発明を実施するための最良の形態】
【００１５】
本明細書において、コードとは、バーコードなどのコード化された情報を指すが、数字、文字などを含む商品コードなども含まれるものである。
【００１６】
以下、本発明の一実施の形態による入力システムについて図面を参照しながら説明を行う。図１は、本実施の形態による入力システムの一構成例を示す機能ブロック図である。図１に示すように、本実施の形態による入力システムは、商品３００の商品情報を入力する入力装置１００と、ブラウザを表示可能な表示装置の例であるＢＭＬブラウザを備えたテレビジョン受信装置ＴＶ２００と、を有している。商品３００には、ＲＦＩＤ３０１が貼付されている。
【００１７】
入力装置１００は、ＲＦＩＤのコードなどを読みとるコード読み取り部１０７と、読みとったコードを記憶するメモリ１０５と、ユーザが入力を行うユーザ入力部１１１と、全体を制御するコントローラ制御部１１５と、ユーザの入力などに基づく表示を行う表示部１１７と、読み取ったコードを変換するコード変換部１０３と、コード変換されたコードをＴＶ２００に送信する送信部１０１と、を有している。ＴＶ２００は、チューナ２０１と、復調部２０２と、ＴＳデコーダ２０３と、復号部２０４と、リモコン受信部２０９と、制御部２０８／リモコン制御部２１０と、ＢＭＬブラウザ２０７と、復号部２０４からの信号と、リモコン受信部２０９からの信号とＢＭＬブラウザ２０７の信号とを合成する合成部２０５と、合成された信号に基づく表示を行うディスプレイ２０６と、を有する。
【００１８】
図２は、リモコン装置である入力装置１００の正面図である。図２に示すように、表示部１１７と、リモコン信号を送信するリモコン送信部１０１と、を有するとともに、各種の入力を行うユーザ入力部１１１が設けられている。ユーザ入力部１１１は、ＢＭＬブラウザで用いる赤、青、緑、黄色などの特殊ボタン１４５、１４７、１５１、１５３と、上下左右キー１３５、１３７，１４３、１４１と、決定キー１３３と、を有している。これらのキーは、ＢＭＬブラウザで認識できるキーである。さらに、一般的なリモコン装置のキーに対して新たに付加されたボタンとして、スタートキー１６１と、送信キー１６３と、が設けられている。ＢＭＬブラウザで用いる赤、青、緑、黄色などの特殊ボタン１４５、１４７、１５１、１５３等は、特にＴＶの番組変更などに用いられる訳ではないので、商品コードの商品毎の区切りを示す印として適している。
【００１９】
次に、上記の構成を有する入力装置における処理例について説明する。ＴＶ２００上にユーザの選局、および操作によって、商品情報入力を実施段階で、図５に示されるブラウザの表示画面例１１７−１が表示されるものとする。「入力装置を使用して入力される場合には、以下の設定にしてください。」とのユーザへのメッセージと、
１）商品区切りを示すリモコンキーは「決定ボタン」
２）入力完了を示すリモコンキーは「赤ボタン」とのガイダンス表示と、「次へ進むにはリモコンの決定ボタンを押してください。」との表示とがなされる。本画面は放送局によって作成されるものであり、商品区切りを示すリモコンキーと入力完了を示すリモコンキーをユーザが判断できればよく表示されなくてもよい。入力装置１００は、図３に示すように、電源ＯＮで処理を開始し（ステップＳ１：開始）、ステップＳ２において、スタートボタン１６１（図２）が押させたか否かを判定する（ステップＳ２）。ユーザが表示画面例１１７−１の指示に従い設定を行うためにスタートボタン１６１が押されると（ＹＥＳ）、ステップＳ３において、表示部１１７に、商品区切りを示すリモコンキーの入力を促す表示がなされる。次いで、ステップＳ４において入力を待ち、表示画面例１１７−１の場合、ユーザからの入力は決定ボタンとなる。入力があると（ＹＥＳ）、ステップＳ５において、表示部１１７に入力完了を示すリモコンキーの入力を促す表示が行われる。ステップＳ６において、表示画面例１１７−１では、ユーザからの入力は赤ボタンとなる。入力があると（ＹＥＳ）、ステップＳ７に進み、送信ボタン１６３が押されるのを待つ。送信ボタン１６３が押されると、ステップＳ８においてコードの読み込みが行われ、後述するような入力装置（リモコン装置）からコードの送信処理が行われる（ステップＳ９）。コードの全てが送信されると（ステップＳ１０でＹＥＳ）、ステップＳ１１において、設定済み入力完了キーを送信し、処理を完了する（ステップＳ１２）。
【００２０】
図４は、コードの送信処理（ステップＳ９）の詳細な処理を示す図である。図４に示すように、コードの送信キー１６３を押すと、リモコン装置においてコード送信処理が開始され（ステップＳ２１：開始）、ステップＳ２２においてコード長を解析し、ステップＳ２３において、コードを一般的なリモコン数字キーへ変換し、ステップＳ２４において、リモコンキーに変換されたコードを１桁分ＴＶに送信し、ステップＳ２５において全部がＴＶに送信されていれば（ＹＥＳ）、ステップＳ２６において、設定済み商品区切りキーを送信し、処理を完了する（ステップＳ２７）。
【００２１】
図６は、図５表示画面例１１７−１において、ユーザによってリモコンの決定ボタンが押され遷移する画面であり、商品情報入力受付中の第１の画面例１１７−２を示す図である。まず、本発明の入力装置を使用しない場合の入力例について説明する。ユーザは、商品情報の関わるＥＰＣコードを０〜９のリモコンキーを使用して、１つめの商品について入力１の欄に例えばＸＸＸＸ１１１と入力する。２つめの商品の情報入力が必要な場合には、決定ボタンを押し、続いて商品情報の関わるＥＰＣコードを０〜９のリモコンキーを使用して入力２の欄に例えばＹＹＹ２２２と入力する。３つめの商品の情報入力が必要な場合には、２つめの商品について入力した手順を続け、入力３の欄に例えばＺＺＺ３３３と入力する。必要な商品の情報入力が完了した場合には、赤ボタンで完了する。この場合、コードとしては、‘Ｘ’‘Ｘ’‘Ｘ’‘Ｘ’‘１’‘１’‘１’‘決定’‘Ｙ’‘Ｙ’‘Ｙ’‘２’‘２’‘２’‘決定’‘Ｚ’‘Ｚ’‘Ｚ’‘３’‘３’‘３’‘３’‘決定’…‘赤’が入力装置からＴＶ側ブラウザ装置に送られることになる。’決定‘のコードが、例えば商品毎の区切りを示すコードとなる。このコードは、ＢＭＬブラウザ用のコードであるため、ＴＶの他の機能に対して影響を及ぼすことがない。
【００２２】
続いて、本発明の入力装置を使用した場合について説明する。図５表示画面例１１７−１において、リモコンの決定ボタンの操作は、送信ボタン１６１が押される前に行われる。
【００２３】
本発明の入力装置（リモコン装置）側においては、商品区切りを示すリモコンキーと、入力完了を示すリモコンキーをユーザに設定させておき、図５表示画面例１１７−１からず１１７−２へ遷移させた状態で送信ボタンが操作されると（図３のステップ７）、複数の商品情報の関わるＥＰＣコードを読み込む（図３のステップＳ８）。ここで、
１）商品情報がある場合には、数字キーに対応したリモコンキーに変換してＴＶ（ブラウザ）側に送信する。次いで、送信すべき商品情報がある場合には、商品区切りを示すリモコンキーにしてＴＶ（ブラウザ）側に送信し、上記１）へ遷移する。
２）商品情報が無い場合には、入力完了を示すリモコンキーをＴＶ（ブラウザ）側に送信する。
【００２４】
一方、ブラウザ側においては、ブラウザで入力可能な数字キーである０〜９以外のリモコンキーで、以下の項目３）、４）を設定し、ユーザが確認できるように表示させ、入力された商品情報を入力、表示するエリアのある画面を準備する。
３）商品区切りを示すリモコンキー
４）全入力完了を示すリモコンキー
【００２５】
以上の手順により、複数の商品について、商品情報をＲＦＩＤから読み取り、入力装置のボタン等により商品毎の区切りを入れた後に、リモコンコードに変換してＴＶ側に送信することで、複数の商品に関する商品情報を便利にブラウザに入力して表示させることができる。
【００２６】
上記は、商品区切りを１つのリモコンキー操作によって実施する例について記載したが、図７に示す商品情報入力受付中の第２の画面例１１７−３のように、商品情報の関わるＥＰＣコードを入力後、入力２の入力を行うために方向キー１４１で、確定ボタンへカーソルを遷移し、決定キー１３３で決定処理を行うような複数のキーで商品区切りを構成する画面についても、図３のＳ４において複数の入力を待つようにすれば実現可能である。また、入力完了を示すリモコンキーについては、手動で実施しても手間がかからないと判断すれば、自動化しなくてもよい。この場合は、図３においてＳ１１の処理を省けばよい。
【００２７】
尚、本実施の形態による入力装置は、ＴＶに内蔵させることも可能である。この場合には、上記の実施の形態のスタートボタンと送信ボタンとに該当するキー、または、メニューをＴＶ側で用意しておけば良い。
【００２８】
また本実施の形態では、送信ボタンとスタートボタンとを別々に準備しているが兼用させることもできる。さらに、ブラウザの画面の２つを１つにすることも、画面１の情報を画面２に表示することで可能となる。この場合には、「ユーザはブラウザを次に進める」の手順を省略できる。また、送信ボタンの操作なしで送信が可能となる。
【００２９】
さらに、商品区切りを示すキーと完了キーは入力装置に登録しておき、読み出すことで、２回目以降の操作を簡単化することが可能である。
【００３０】
また、商品区切りを示すキーと完了キーが、データ 放送コンテンツで統一されていれば設定は不要となる。また、画面３のような画面で、ユーザ操作として、ボタンで商品区切りを入れるような場合に対して、商品区切りを示すキーは「横キー＋決定」というような複数キーで構成させることも可能であり、完了についても同様である。これにより、準備するキー数を削減可能である。本実施の形態によれば、ＲＦＩＤの特徴を十分に活かし、ユーザは商品が手元にあれば、商品名、商品情報に関するコードなどを入力せずに済むという利点がある。ＲＦＩＤの特徴としてリーダは複数個の情報を瞬時に読み込むことができるため、利便性が増しアプリケーションも多様化できる。
【００３１】
尚、商品情報の入力について説明したが、その他の情報の入力に関しても応用可能である。例えば、あるイベントへの入場者の情報の管理などに、入場者にＲＦＩＤを貼付し、入場口にリーダを設けることで、入場者区切りを入力装置から入力することで管理することができる。
【産業上の利用可能性】
【００３２】
本発明は、多数の商品情報等の入力システムとして利用可能である。
【図面の簡単な説明】
【００３３】
【図１】本発明の一実施の形態による商品入力システムの一構成例を示す図である。
【図２】図１に示す入力装置の一例を示す図である。
【図３】本実施の形態による入力処理の流れを示す図である。
【図４】コード処理の詳細な処理を示す図である。
【図５】商品情報入力を促すブラウザ表示画面例を示す図である。
【図６】商品情報入力受付画面の第１例を示す図である。
【図７】商品情報入力受付画面の第２例を示す図である。
【符号の説明】
【００３４】
１００…入力装置、１０１…送信部、１０３…コード変換部、１０５…メモリ、１０７…コード読み取り部、１１１…ユーザ入力部、１１５…コントローラ制御部、１１７…表示部、２００…テレビジョン受信装置（ＴＶ）、２０１…チューナ、２０２…復調部、２０３…ＴＳデコーダ、２０４…復号部、２０５…合成部、２０６…ディスプレイ、２０７…ＢＭＬブラウザ、２０８…制御部、２０９…リモコン受信部、２１０…リモコン制御部、３００…商品、３０１…ＲＦＩＤ。
【図１】
2008287513.tif 000003
【図２】
2008287513.tif 000004
【図３】
2008287513.tif 000005
【図４】
2008287513.tif 000006
【図５】
2008287513.tif 000007
【図６】
2008287513.tif 000008
【図７】
2008287513.tif 000009